【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
コンテンツデータを表示させる情報処理装置であって、
複数のコンテンツデータを受信する受信手段と、
前記受信された複数のコンテンツデータのうち表示させるコンテンツデータを、前記複数のコンテンツデータのうち所定のコンテンツデータと他のコンテンツデータとの差異に基づいて決定する決定手段と
を有することを特徴とする情報処理装置。
【請求項２】
前記所定のコンテンツデータは、ファイル名がtop.bmlのコンテンツデータであることを特徴とする、請求項１に記載の情報処理装置。
【請求項３】
前記所定のコンテンツデータを指定するための指定手段をさらに有することを特徴とする、請求項１に記載の情報処理装置。
【請求項４】
前記所定のコンテンツデータとの表示サイズ情報の差異が第１の差異である第１のコンテンツデータと、前記所定のコンテンツデータとの表示サイズ情報の差異が前記第１の差異よりも小さい第２の差異である第２のコンテンツデータと、が前記受信手段により受信された場合、前記決定手段は、前記第１のコンテンツデータが表示されかつ前記第２のコンテンツデータが表示されないように前記表示させるコンテンツデータを決定することを特徴とする、請求項１乃至３のいずれか１項に記載の情報処理装置。
【請求項５】
前記所定のコンテンツデータとは背景データが異なる第１のコンテンツデータと、前記所定のコンテンツデータと背景データが同じである第２のコンテンツデータと、が前記受信手段により受信された場合、前記決定手段は、前記第１のコンテンツデータが表示されかつ前記第２のコンテンツデータが表示されないように前記表示させるコンテンツデータを決定することを特徴とする、請求項１乃至３のいずれか１項に記載の情報処理装置。
【請求項６】
前記所定のコンテンツデータからリンクされている第１のコンテンツデータと、前記所定のコンテンツデータからリンクされていない第２のコンテンツデータと、が前記受信手段により受信された場合、前記決定手段は、前記第１のコンテンツデータが表示されかつ前記第２のコンテンツデータが表示されないように前記表示させるコンテンツデータを決定することを特徴とする、請求項１乃至３のいずれか１項に記載の情報処理装置。
【請求項７】
前記所定のコンテンツデータへのリンク情報が含まれる第１のコンテンツデータと、前記所定のコンテンツデータへのリンク情報が含まれない第２のコンテンツデータと、が前記受信手段により受信された場合、前記決定手段は、前記第１のコンテンツデータが表示されかつ前記第２のコンテンツデータが表示されないように前記表示させるコンテンツデータを決定することを特徴とする、請求項１乃至３のいずれか１項に記載の情報処理装置。
【請求項８】
前記決定手段は、含まれるコンポーネントの構造が前記所定のコンテンツデータとは異なる第１のコンテンツデータと、含まれるコンポーネントの構造が前記所定のコンテンツデータと同じである第２のコンテンツデータと、が前記受信手段により受信された場合、前記決定手段は、前記第１のコンテンツデータが表示されかつ前記第２のコンテンツデータが表示されないように前記表示させるコンテンツデータを決定し、前記コンポーネントはボタンを含み、前記構造は前記ボタンの表示サイズを含むことを特徴とする、請求項１乃至３のいずれか１項に記載の情報処理装置。
【請求項９】
前記決定手段は、前記受信された複数のコンテンツデータのうちコンポーネントの数がより少ないコンテンツデータが表示されるように前記表示させるコンテンツデータを決定し、前記コンポーネントはボタンを含むことを特徴とする、請求項１乃至３のいずれか１項に記載の情報処理装置。
【請求項１０】
前記決定手段は、前記受信された複数のコンテンツデータと前記所定のコンテンツデータとの間での、表示サイズ情報の差異と背景データの差異との組合せに基づいて、前記表示させるコンテンツデータを決定することを特徴とする、請求項１乃至３のいずれか１項に記載の情報処理装置。
【請求項１１】
移動先のコンテンツデータが割り当てられていないリモコンのボタンに、前記決定手段によって決定されたコンテンツデータの１つを移動先のコンテンツデータとして対応付ける対応付け手段をさらに有することを特徴とする、請求項１乃至１０のいずれか１項に記載の情報処理装置。
【請求項１２】
コンテンツデータを表示させる情報処理装置が行う情報処理方法であって、
複数のコンテンツデータを受信する受信工程と、
前記受信された複数のコンテンツデータのうち表示させるコンテンツデータを、前記複数のコンテンツデータのうち所定のコンテンツデータと他のコンテンツデータとの差異に基づいて決定する決定工程と
を有することを特徴とする情報処理方法。
【請求項１３】
前記所定のコンテンツデータとの表示サイズ情報の差異が第１の差異である第１のコンテンツデータと、前記所定のコンテンツデータとの表示サイズ情報の差異が前記第１の差異よりも小さい第２の差異である第２のコンテンツデータと、が前記受信工程において受信された場合、前記決定工程では、前記第１のコンテンツデータが表示されかつ前記第２のコンテンツデータが表示されないように前記表示させるコンテンツデータを決定することを特徴とする、請求項１２に記載の情報処理方法。
【請求項１４】
前記所定のコンテンツデータからリンクされている第１のコンテンツデータと、前記所定のコンテンツデータからリンクされていない第２のコンテンツデータと、が前記受信工程において受信された場合、前記決定工程では、前記第１のコンテンツデータが表示され前記第２のコンテンツデータが表示されないように前記表示させるコンテンツデータを決定することを特徴とする、請求項１２に記載の情報処理方法。
【請求項１５】
コンピュータを請求項１乃至１１のいずれか１項に記載の情報処理装置として機能させるためのコンピュータプログラム。
【手続補正２】
【補正対象書類名】明細書
【補正対象項目名】０００８
【補正方法】変更
【補正の内容】
【０００８】
本発明の目的を達成するために、例えば、本発明の情報処理装置は以下の構成を備える。すなわち、
コンテンツデータを表示させる情報処理装置であって、
複数のコンテンツデータを受信する受信手段と、
前記受信された複数のコンテンツデータのうち表示させるコンテンツデータを、前記複数のコンテンツデータのうち所定のコンテンツデータと他のコンテンツデータとの差異に基づいて決定する決定手段と
を有することを特徴とする。
【手続補正３】
【補正対象書類名】明細書
【補正対象項目名】００４６
【補正方法】変更
【補正の内容】
【００４６】
本実施例においては、ＢＭＬ文書が表示されているときにリモコンキーを押すことによりｔｏｐ．ｂｍｌに移動できる場合、そのＢＭＬ文書に対して優先度「２」が与えられる。また、ＢＭＬ文書が表示されている際に、十字キーと決定キーとを用いて階層「１」のＢＭＬ文書に移動できる場合に、そのＢＭＬ文書に対して優先度「１」が与えられる。
【手続補正４】
【補正対象書類名】明細書
【補正対象項目名】００８０
【補正方法】変更
【補正の内容】
【００８０】
図１８の表１８００は、本実施例において解析部１１７がＢＭＬ文書毎に求める、第５の優先度を示す。ＢＭＬ文書の構成が、階層「１」のＢＭＬ文書の構成とは異なる場合に、そのＢＭＬ文書にはより高い第５の優先度が与えられる。本実施例においては、ＢＭＬ文書に含まれるテキスト又はボタンの、表示サイズ及び表示位置を、階層「１」のＢＭＬ文書と比較することにより、第５の優先度が決定される。